(57)【要約】  本開示は、機器及び関連する方法の実施形態を多く含む。これは、浸出された抽出物を、不溶性材料と一以上の液体との混合物から生成する。  任意の所望の不溶性材料を、液体の任意の所望の組合せとともに使用してもよい。
2021518794.tif 000002
【特許請求の範囲】
【請求項１】
少なくとも一つの液体及び少なくとも一つの不溶性材料から浸出された抽出物を作製する方法において、
浸出容器を含む浸出装置を用意し、
前記浸出容器の貯蔵器のなかに少なくとも一つの液体を配置し、
前記浸出容器のなかの貯蔵器のなかに配置された液体のなかに、少なくとも一つの不溶性材料を分散させて、混合物を形成し、
前記混合物が、前記浸出容器の前記貯蔵器のなかにある間に、浸出された抽出物を形成できるようにする、方法。
【請求項２】
請求項１の前記方法において、更に、前記浸出容器の前記貯蔵器から浸出された前記抽出物を分配する、方法。
【請求項３】
請求項２の前記方法において、浸出された前記抽出物を、前記浸出容器の前記貯蔵器から第二の又は受容容器のなかへ分配する、方法。
【請求項４】
請求項３の前記方法において、第二の前記容器は、第二の前記容器の上側端部に開口を含み、これは、前記浸出容器からの浸出された抽出物の流れを受容する、方法。
【請求項５】
請求項４の前記方法において、第二の前記容器の前記開口は、第二の前記容器の横方向寸法と比較して小さい、方法。
【請求項６】
請求項５の前記方法において、浸出された抽出物の前記流れは、前記浸出容器の下側端部のなかにある出口から生じる、方法。
【請求項７】
請求項６の前記方法において、更に、前記浸出容器の前記出口を第二の前記容器の前記開口と整列して、不溶性材料の前記流れが前記浸出容器の前記出口から第二の前記容器の前記開口のなかへ流れ込めるようにする、方法。
【請求項８】
請求項７の前記方法において、整列する工程で、前記浸出容器に結合した導管を方向付けて第二の前記容器の前記開口と整列させる、方法。
【請求項９】
請求項７の前記方法において、整列する工程で、前記浸出容器の前記出口の真下に第二の前記容器の開口を位置付けて、浸出された抽出物の前記流れが第二の前記容器の前記開口のなかへ落ち込めるようにする、方法。
【請求項１０】
請求項７の前記方法において、整列する工程で、第二の前記容器の上の少なくとも一つの場所を前記浸出装置に見当合わせする、方法。
【請求項１１】
請求項１０の前記方法において、第二の前記容器の上の少なくとも一つの前記位置は、（ア）第二の前記容器の頂部表面と、（イ）第二の前記容器の底部表面と、（ウ）第二の前記容器の側部表面と、（エ）第二の前記容器の外部又は内部の表面に形成された隆起と、（オ）第二の前記容器の外部又は内部の表面に形成された窪みと、（カ）第二の前記容器に形成された印と、（キ）第二の前記容器のハンドルと、（ク）第二の前記容器に形成された鍔と、（ケ）第二の前記容器の開口とのうちの少なくとも一つを含む、方法。
【請求項１２】
請求項７の前記方法において、整列する工程で、前記浸出容器と第二の前記容器との間にアダプタを介在させて、容易に整列できるようにする、方法。
【請求項１３】
請求項７乃至１２いずれかの方法において、整列させる工程で、第二の前記容器を前記浸出装置の下側部分のなかに配置する、方法。
【請求項１４】
請求項７乃至１３いずれかの方法において、整列させる工程で、第二の前記容器を前記浸出装置の台の下側部分のなかに配置する、方法。
【請求項１５】
請求項２乃至１４いずれかの方法において、プラグを取り去ることによって、分配する工程を開始する、方法。
【請求項１６】
請求項２乃至１４いずれかの方法において、膜に穴を開けることによって、分配する工程を開始する、方法。
【請求項１７】
請求項３乃至１４いずれかの方法において、弁を開くことによって、分配する工程を開始する、方法。
【請求項１８】
請求項１７の前記方法において、前記浸出容器を前記受容容器と整列することとは別個の動作として、前記弁を開く、方法。
【請求項１９】
請求項１７の前記方法において、前記浸出容器を前記受容容器と整列した結果として、前記弁を開く、方法。
【請求項２０】
請求項１９の前記方法において、前記浸出容器が垂直方向に沿って移動している間、前記弁を開く、方法。
【請求項２１】
請求項１９の前記方法において、前記浸出容器の一部分を回転させることによって、前記弁を開く、方法。
【請求項２２】
請求項１９の方法において、前記浸出容器の第一の部分を前記浸出容器の第二の部分に対して回転させることによって、前記弁を開く、方法。
【請求項２３】
請求項１乃至２２いずれかに記載された、少なくとも一つの液体及び少なくとも一つの不溶性材料から浸出された抽出物を作製する方法を実装するためのシステム。
【請求項２４】
本明細書のなかで開示された、少なくとも一つの液体及び少なくとも一つの不溶性材料から浸出された抽出物を作製するためのシステム及び方法。
【請求項２５】
少なくとも一つの液体及び少なくとも一つの不溶性材料から浸出された抽出物を作製するための浸出装置において、少なくとも一つの液体及び少なくとも一つの不溶性材料を受容して浸出された抽出物を形成するための浸出容器を備える、浸出装置。
【請求項２６】
請求項２５の前記浸出装置において、更に、排出口を備え、これは、浸出された前記抽出物を前記浸出容器から排出できるようにする、浸出装置。
【請求項２７】
請求項２６の前記浸出装置において、更に、受容容器を含み、これは、浸出された前記抽出物を、前記浸出容器の前記排出口を介して受容する、浸出装置。
【請求項２８】
請求項２７の前記浸出装置において、第二の前記容器は、その上側端部に開口を画定し、これは、浸出された抽出物の流れを前記浸出容器から受容する、浸出装置。
【請求項２９】
請求項２７の前記浸出装置において、第二の前記容器の前記開口は、第二の前記容器の横方向寸法と比較して小さい、浸出装置。
【請求項３０】
請求項２７の前記浸出装置において、浸出された抽出物の前記流れは、前記浸出容器の下側端部のなかにある出口から生じる、浸出装置。
【請求項３１】
請求項２７の前記浸出装置において、前記浸出容器の前記出口を第二の前記容器の前記開口と整列して、不溶性材料の前記流れが前記浸出容器の前記出口から第二の前記容器の前記開口のなかへ流れ込めるようにするよう構成し配列する、浸出装置。
【請求項３２】
請求項２７の前記浸出装置において、更に、導管を備え、これは、前記浸出容器に結合して、第二の前記容器の前記開口と整列するよう方向付けられる、浸出装置。
【発明の詳細な説明】
【技術分野】
【０００１】
関連出願の相互参照
本出願は、米国仮特許出願第６２／７７６，３１８号（２０１８年１２月６日出願）及び米国仮出願第６２／６４１，２５５号（２０１８年３月９日出願）に対する優先権の利益を主張する。
本特許出願は、また、米国意匠出願第２９／６３９，９８５号（２０１８年３月９日出願）及び米国意匠出願第２９／６６３，０１４号（２０１８年９月１１日出願）に関連する。
前述の特許出願のそれぞれは、参照によりこのなかにその全体としていかなるすべての目的のために組み入れられる。
【０００２】
分野
本開示は、概して、不溶性材料の抽出を実行することができる装置及び関連する方法に関連する。もっと詳しく言うと、コーヒー又は茶などからの浸出物を抽出するためのシステムに関連する。
【背景技術】
【０００３】
背景
抽出システム（例えば、プレス）の主な機能は、消費を意図した抽出物から、コーヒー粉及び茶葉などのバルク不溶性材料の間を確実に分離することである。
【発明の概要】
【発明が解決しようとする課題】
【０００４】
多くの異なるプレス及びフィルタの設計が実装されてきたが、最適な分離を達成するにはまだ改善の余地がある。
本開示は、この技術状態に改善を加える。
【課題を解決するための手段】
【０００５】
概要
本開示の利点は、以下の記載に示され、そこから明らかになるであろう。
本開示の更なる利点は、ここの明細書及び請求項において、並びに、添付された図面から、特に指摘された方法及びシステムによって実現され、達成されるであろう。
【０００６】
本開示は、機器及び関連する方法の実施形態を多く含む。これは、浸出された抽出物を、不溶性材料と一以上の液体との混合物から生成する。
任意の所望の不溶性材料を、液体の任意の所望の組合せとともに使用してもよい。
【０００７】
したがって、いくつかの実装において、少なくとも一つの液体及び少なくとも一つの不溶性材料から浸出された抽出物を作製するための方法及び機器を提供する。
例示的な非限定的な方法では、浸出容器を含む浸出装置を提供し、前記浸出容器の貯蔵器のなかに少なくとも一つの液体を配置し、前記浸出容器のなかの前記貯蔵器のなかに配置された前記液体のなかに少なくとも一つの不溶性材料を分散させて混合物を形成し、前記混合物が前記浸出容器の前記貯蔵器のなかにある間に浸出された抽出物を形成するようにしてもよい。
【０００８】
いくつかの実装において、前記方法では、更に、前記浸出容器の前記貯蔵器から浸出された前記抽出物を分配してもよい。
浸出された前記抽出物を、前記浸出容器の前記貯蔵器から第二の又は受容容器のなかへ分配してもよい。
第二の前記容器は、第二の前記容器の上側端部に開口を含んでもよい。これは、前記浸出容器からの浸出された抽出物の流れを受容する。
第二の前記容器の前記開口は、第二の容器の横方向寸法と比べて小さくてもよい。
浸出された抽出物の前記流れは、前記浸出容器の下側端部にある出口から生じる。
【０００９】
望むなら、前記方法において、前記浸出容器の前記出口を第二の前記容器の前記開口と整列して、不溶性材料の前記流れが前記浸出容器の前記出口から第二の前記容器の前記開口のなかへ流れ込めるようにしてもよい。
前記整列する工程において、前記浸出容器に結合した導管を方向付けて第二の前記容器の前記開口と整列させてもよい。
前記整列する工程において、前記浸出容器の前記出口の真下に第二の前記容器の開口を位置付けて、浸出された抽出物の前記流れが第二の前記容器の前記開口のなかへ落ち込めるようにしてもよい。
前記整列する工程において、第二の前記容器の上の少なくとも一つの場所を前記浸出装置に見当合わせしてもよい。
第二の前記容器の上の少なくとも一つの前記場所は、（ア）第二の前記容器の頂部表面と、（イ）第二の前記容器の底部表面と、（ウ）第二の前記容器の側表面と、（エ）第二の前記容器の外部又は内部の表面の上に形成された隆起と、（オ）第二の前記容器の外部又は内部の表面の上に形成された窪みと、（カ）第二の前記容器の上に形成された印と、（キ）第二の前記容器のハンドルと、（ク）第二の前記容器の上に形成された鍔と、（ケ）第二の前記容器の前記開口とのうち少なくとも一つを含んでもよい。
【００１０】
望むなら、前記整列する工程において、前記浸出容器と第二の前記容器との間にアダプタを介在させて、容易に整列できるようにしてもよい。
望むなら、前記整列する工程において、第二の前記容器を前記浸出装置の下側部分のなかに配置してもよい。
いくつかの実施形態において、前記整列する工程で、第二の前記容器を前記浸出装置の台の下側部分のなかに配置してもよい。
望むなら、プラグを取り去ることによって、前記分配する工程を開始してもよい。
前記分配する工程は、膜に穴を開けることによって開始してもよい。
望むなら、弁を開けることによって、前記分配する工程を開始してもよい。
望むなら、前記浸出容器を前記受容容器と整列することとは別個の動作として、前記弁を開いてもよい。
前記浸出容器を前記受容容器と整列した結果として、前記弁を開いてもよい。
【００１１】
いくつかの実施形態において、前記浸出容器が垂直方向に沿って移動している間、前記弁を開いてもよい。
前記浸出容器の一部分を回転させることによって、前記弁を開いてもよい。
望むなら、前記浸出容器の第一の部分を前記浸出容器の第二の部分に対して回転させることによって、前記弁を開いてもよい。
【００１２】
本開示は、更に、開示された前記実施形態のいずれかを使用して、少なくとも一つの液体及び少なくとも一つの不溶性材料から浸出された抽出物を作製する方法を含む。
【００１３】
本開示は、また更に、浸出装置の実施形態を提供する。これは、少なくとも一つの液体及び少なくとも一つの不溶性材料から浸出された抽出物を作製する。
このような装置の非限定的な例は、少なくとも一つの液体及び少なくとも一つの不溶性材料を受容して浸出された抽出物を形成するための浸出容器を含んでもよい。
【００１４】
望むなら、前記浸出装置は、更に、排出口を含んでもよい。これは、浸出された前記抽出物を前記浸出容器から排出できるようにする。
前記浸出装置は、受容容器を含んでもよい。これは、浸出された前記抽出物を、前記浸出容器の前記排出口を介して受容する。
第二の前記容器は、その上側端部に開口を画定してもよい。これは、浸出抽出物の流れを前記浸出容器から受容する。
第二の前記容器の前記開口は、第二の容器の横方向寸法と比べて小さくてもよい。
浸出された抽出物の前記流れは、前記浸出容器の下側端部の出口から生じてもよい。
前記浸出容器の前記出口を第二の前記容器の前記開口と整列して、不溶性材料の前記流れが前記浸出容器の前記出口から第二の前記容器の前記開口のなかへ流れ込めるようにするよう構成し配列してもよい。
前記浸出装置は、更に、導管を含んでもよい。これは、前記浸出容器に結合して、第二の前記容器の前記開口と整列するよう方向付けられる。
【００１５】
理解されるべきことは、前述の一般的な説明及び以下の詳細な説明は、例示的なものであり、開示される実施形態の更なる説明を提供することを意図していることである。
添付の図面は、本明細書に組み入れられ、その一部を構成する。これが含まれるのは、開示された方法及びシステムの更なる理解を例示し提供するためである。
説明とともに、図面は、本開示の原理を説明するのに役立つ。
【００１６】
図面の簡単な説明
添付の付録、図面、図、画像などは、本開示にしたがう、様々な例と、非限定的発明的な態様と、実施形態と、特徴と（「例えば」又は「例」）を示す。
【図面の簡単な説明】
【００１７】
【図１】本開示にしたがう、浸出抽出物を形成するためのシステムの代表的な実施形態の概略図である。
【図２Ａ】本開示にしたがう抽出システムの例示的な実施形態の第一の断面図を示す。
【図２Ｂ】図２Ａの前記抽出システムの平面図である。
【図２Ｃ−２Ｆ】更なるシールの一実施形態の平面図と、中心断面図と、側面図と、平面正面斜視図とを例示する。これは、ここで開示される様々な実施形態で使用してもよい。
【図２Ｇ−２Ｊ】また更なるシールの一実施形態の平面図と、中心断面図と、側面図と、平面正面斜視図とを例示する。これは、ここで開示される様々な実施形態で使用してもよい。
【図２Ｋ−２Ｎ】更に別のシールの一実施形態の平面図と、中心断面図と、側面図と、平面正面斜視図とを例示する。これは、ここで開示される様々な実施形態で使用してもよい。
【図２Ｏ−２Ｒ】また更なるシールの一実施形態の平面図と、中心断面図と、側面図と、平面正面斜視図とを例示する。これは、ここで開示される様々な実施形態で使用してもよい。
【図３】本開示にしたがう抽出システムの第二の断面図を示す。
【図４】図３の前記抽出システムの平面図である。図３に例示した前記断面の場所を示す。
【図５】前記抽出システムの側面図である。
【図６】前記抽出システムの底面図である。
【図７】前記抽出システムの第一の平面等角図である。
【図８】前記抽出システムの第二の平面等角図である。フィルタインサートを示す。
【図９】前記抽出システムの第三の平面等角図である。前記フィルタインサートを取り去った状態を示す。
【図１０】前記抽出システムの底面等角図である。
【図１１】前記抽出システムの第一の分解断面図である。
【図１２】前記抽出システムの平面図である。図１１に例示した前記断面の場所を示す。
【図１３】前記抽出システムの第二の分解断面図である。
【図１４】前記抽出システムの平面図である。図１３に例示した前記断面の場所を示す。
【図１５】前記抽出システムの分解側面図である。
【図１６】前記抽出システムの底面図である。
【図１７】前記抽出システムの分解平面等角図である。
【図１８】前記抽出システムの分解底面等角図である。重複して示す。
【図１９】前記抽出システムの側面図である。これは、容器の頂部の上に取り付けられている。これは、前記抽出システムから出る浸出された抽出物を捕らえる。
【図２０】図１９の前記配列の第一の断面図である。図２１に例示した断面線Ａ−Ａに沿って切り取っている。
【図２１】図２０の前記実施形態の平面図である。
【図２２】図１９の前記配列の第二の断面図である。これは、図４に例示した線Ｃ−Ｃに沿って図２０の視野に対して角度的に回転している。
【図２３】図１９の前記配列の等角図である。
【図２４】図１９の前記配列の分解側面図である。
【図２５】図２６に例示した線Ａ−Ａに沿って切り取った分解断面図である。
【図２６】図２５の前記実施形態の平面図である。
【図２７】図４に例示した線Ｃ−Ｃに沿って切り取った分解断面図である。
【図２８】図１９の前記配列の分解平面等角図である。
【図２９】図１９の前記配列の分解底面図を、二つ横に並べて示す。
【図３０Ａ】本開示にしたがう淹出装置の更なる一実施形態の断面図を表す。
【図３０Ｂ】本開示にしたがう淹出装置のまた更なる一実施形態の等角断面図を表す。
【図３０Ｃ−３０Ｄ】本開示にしたがう淹出装置の更に別の一実施形態の等角断面図及び断面図を表す。
【図３０Ｅ】本開示にしたがう淹出装置の別の実施形態の断面図である。弁が閉状態にある。
【図３０Ｆ】図３０Ｅの前記淹出装置の前記実施形態の断面図である。前記弁が開状態にある。
【図３１Ａ】本開示にしたがう淹出装置の更なる一実施形態の断面図である。
【図３１Ｂ】本開示にしたがう淹出装置のまた更なる実施形態の断面図である。
【図３１Ｃ】本開示にしたがう淹出装置の更に別の実施形態の断面図である。
【図３１Ｄ】本開示にしたがう淹出装置の更に別の実施形態の断面図である。これは、膜（濾紙などの材料など）を破裂させることによって流れを作動させる。
【図３２Ａ−Ｃ】本開示にしたがう浸出された抽出物を調製するための印を含む容器の図である。
【図３３】本開示にしたがう淹出装置の更なる実施形態の等角図である。任意的なカバーを取り去ってその内部の詳細を明らかにしている。
【図３４】図３３の前記実施形態の側面図である。
【図３５】図３３の前記実施形態の平面図である。
【図３６】図３３の前記実施形態の平面等角図である。
【図３７】図３３の前記実施形態の底面図である。
【図３８】図３３の前記実施形態の底面等角図である。
【図３９】図３３の前記実施形態の側面図である。これは、本開示にしたがう裾及び容器に結合されている。
【図４０】図３３の前記実施形態の底面等角図である。これは、本開示にしたがう裾及び容器に結合されている。
【図４１】本開示にしたがう淹出装置の更なる実施形態の等角図である。任意的なカバーがその場にある。
【図４２】図４１の前記実施形態の平面図である。
【図４３】図４１の前記実施形態の側面図である。
【図４４】図４１の前記実施形態の底面図である。
【図４５】本開示にしたがう淹出装置の更なる一実施形態の分解断面図である。
【発明を実施するための形態】
【００１８】
説明
ここで、本開示の好ましい実施形態について詳細に参照する。その例を添付の図面に例示する。
開示される実施形態の方法及び対応する工程は、開示される機器の詳細な説明と併せて記載される。
【００１９】
抽出物分離装置の様々な実施形態をここで提供する。これは、浸出された抽出物を、不溶性材料と前記抽出物との混合物から分離するのに有用である。
【００２０】
図１は、本開示にしたがうシステム及び関連する方法の代表的な実施形態の概略図である。
システム１０は、三つの例示された構成要素を含む。これは、浸出容器１２と、アダプタ２２と、第二の容器４０とを含む。しかし、理解されるであろうことは、この例示が、追加的なあるいはもっと少ない個別の物理的構成要素を含んでもよいことである。
例えば、アダプタを提供する場合、別個の構成要素として存在してもよいし、構成要素１２や４０のなかへ一体化してもよい。
前記構成要素は、ブロック図として例示されている。なぜなら、前記構成要素１２，２２，４０のそれぞれの特定の構成は、ここでの実施形態（以下で論じられる）のいずれを含んでもよいからであり、これは、開示された実施形態が、浸出容器と、前記浸出容器から浸出された抽出物を受容するための第二の容器との間の機械的な適合及び整列を達成するからである。
前記アダプタ２２を、異種の浸出容器と追加的な容器とを整列させ嵌合させるよう構成して、浸出された抽出物を容易に形成し分配できるようにしてもよい。
ここで開示される浸出容器は、すべて、当技術分野で公知の浸出容器と同様に、使用することができる。
【００２１】
任意の所望の第二の又は受容容器を使用してもよい。水差し、保温ポット、狭口瓶、広口コップ、カップ、マグなどである。
いくつかの実施形態において、前記受容容器は、透明や半透明や不透明な材料から作製してもよい。
前記受容容器それ自体の材料は、例えば、ガラスやポリマーやセラミックや金属を含んでもよい。
少なくとも部分的に透明又は半透明である場合、前記容器の透明又は半透明の部分は、分光選択的であってもよい。これにより、特定の波長の光を透過し、他の波長の光を暗くする（例えば、反射し又は吸収する）傾向があるようにする。
例えば、いくつかの実装それ、前記受容容器に褐色ガラスを使用することが好ましい場合がある。
前記褐色ガラス材料は、Ｌ＊透過率値（ＣＩＥ Ｌ＊ａ＊ｂ＊色空間にしたがう）が、標準較正したハンターラボ分光光度計で測定して、不透明（Ｌ＊ ＝ ０）とＬ＊約９５のとの間であってもよく、あるいは、その間でＬ＊値約１刻み（例えば、１、２、３、４、…、４０、４１、４２、４３、…、６０、６１、６２など）であってもよい。
一貫性を確保するため、前記分光光度計は、ハンターラボが指示したとおり適切に較正されるべきである。
この実装において、試料は、ガラスであるかポリマーであるかに関わらず、約３ｍｍ厚であって、平坦な額の形状（例えば、３×５インチ）に形成され、本質的に曇りがなく又は曇りが非常に少なく、ＳＰＩ／ＳＰＥ  Ａ１、Ａ２又はＡ３と一致する滑らかな表面仕上げであるべきである。これにより、Ｌ＊透過率測定が、粗い表面仕上げ又は不適切な溶融及び凍結に起因し得る形成加工における欠陥の結果ではなく、材料それ自体の特性を示すようにする。
前記試料は、ａ＊値及びａｂ＊値が１０と−１０との間であってもよく、あるいは、その間で０．１刻みの任意の値であってもよい。
いくつかの実装において、色座標は、様々な色合いの褐色と一致する。Ｌ＊は、上述したとおり、相対的に低く（例えば、４０〜６５）、しかし、依然として可視光をいくらか透過することができる。
ＰＥＴ材料から作製する場合、前記ＰＥＴ材料は、好ましくは、アンチモン含有量が低く（例えば、１００ｐｐｍ未満）又は含有しない低速結晶化樹脂であり、非アンチモン触媒を使用して形成される。これは、米国特許第７，１２９，３１７号や、米国特許第８，４３１，２０２号や、米国特許第８，５２４，３４３号に記載されたものなどである。これらのそれぞれは、これにより参照により全体としてあらゆる目的のため組み入れられる。
その代わりとして、下にあるポリマーは、一次アンチモン重縮合触媒系を有してもよい。これは、そうでなければ「温充填」に適する。
前記受容容器は、異なる体積を有してもよい。約５０ｍｌと５０００ｍｌとの間、あるいは、その間で５ｍｌ刻みの任意の値などである。
前記受容容器は、望みにより、再使用可能であってもよいし、使い捨てであってもよい。
前記受容容器は、任意の所望の形状を有してもよい。これは、少なくとも部分的に円筒状を含む。あるいは、その長さの少なくとも一部に沿って、長方形（例えば、正方形）、五角形、六角形などの水平な断面を有してもよい。
前記受容容器には、例えば、平坦な基部、窪んだ基部又は花弁状の基部（ボスが一以上（３、５、７など）ある）を設けてもよい。これは、冷たい淹出システムの一以上の窪み又はボスと整列／指組みする。
いくつかの実施形態における前記受容容器は、再密封可能又は再閉鎖可能なバッグ、パウチなどの可撓性容器を含んでもよい。これは、不透明又は半透明又は透明である。
別の実施形態において、前記受容容器は、旅行カップ又は旅行マグである。これは、強化された熱質量を含んでもよい。前記旅行カップは、使用する前又は後に冷凍庫のなかに置いて、得られる飲料を冷たく保つために氷を入れる必要を回避してもよい。
【００２２】
前記アダプタ２２は、前記浸出容器と前記受容容器との整列を達成するのを助けるよう構成される。
整列は、前記浸出容器１２の一部分を前記アダプタ２２の一部分と見当合わせして維持することにより、かつ、前記アダプタ２２の一部分を前記受容容器と見当合わせして維持することによって達成してもよい。
いくつかの実施形態において、前記アダプタ２２は、漏斗を含んでもよい。これは、前記浸出容器１２を出る流体の水流を受容し、前記受容容器４０へ方向付けるよう構成される。
見当合わせ、したがって整列は、例えば、構成要素それぞれの上にあるそれぞれのマーキングなどの印を整列することによって取得してもよいし、それぞれの構成要素それぞれの協働する形状を嵌合させることによってでもよいし、別の実施形態において、一つの構成要素を別の構成要素の少なくとも部分的に内部に置くことによってでもよい。
【００２３】
いくつかの実施形態にしたがって、前記装置は、頂部が開口した浸出容器を含んでもよい。これは、前記混合物を収容するよう適合され、一以上の実質的に垂直な壁を有する。これは、前記容器の垂直軸に実質的に平行に配向される。
【００２４】
限定ではなく例示の目的のため、図２Ａは、本開示にしたがう抽出システムの第一の断面図を示す。図２Ｂにおける線Ａ−Ａ（この場合は垂直中心線）に沿って切り取っている。
図２Ｂは、図２Ａの前記抽出システムの平面図である。
【００２５】
例示したとおり、頂部が開口した浸出容器１０２を設ける。これは、実質的に逆ベルのような形状である。
容器１０２は、好ましくは、形状が概して円筒状である。しかし、他の任意の適切な形状であってもよい。これは、長方形、正方形、辺が三以上ある多角形（三角形、五角形、六角形、八角形など）などの水平断面形状を有するものなどである。
容器１０２の全体的な形状は、概してベル形状であるとして例示しているが、その代わりとして、漏斗形状、円錐形状、ピラミッド状などであってもよい。
好ましくは、容器１０２は、中心垂直軸の周りで、ある程度対称であり、又は、中心垂直軸の周りに均等に重み付けされ、これにより、転倒の危険を防止する。
容器１０２並びにこのなかの任意の他の実施形態における容器は、任意の所望の高さ対幅のアスペクト比を有してもよい。必要に応じて、１：１、１：１．５、１：２、１：２．５、２：１、２．５：１、０．７５：１、０．５：１などであるが、これに限定されない。
【００２６】
図２Ａは、また、対向する基部１０４を例示する。これは、環状に形作られるとともに、その外部にベル状に形作られるものとして例示されている。
容器１０２と同様に、基部１０４は、容器に関して記載されたような任意の形状を有してよい。更に、枠組み、網目、リングに接続され又は自由に浮動する複数の脚部などとして提供してもよい。
基部１０４は、スナップ嵌めするなどして容器１０２に取り付けてもよい。例えば、接着剤、締り嵌めにより、ファスナーにより、あるいは、ねじ接続による。これは、以下で更に詳細に論じる。
その代わりとして、基部及び容器を一体的に形成し成形するなどして、単一の部品として形成してもよい。これもまた、以下で更に詳細に論じる。
【００２７】
シール１０６を設けて、流体がフィルタ１０８の真下を通過するのを防止し又は実質的に防止してもよい。
シール１０６は、例示したとおりＯリングなどの任意の適切な機械的シールであってもよい。あるいは、他の任意の適切なシール材料又は機械的構造（峰部など）であってもよい。これは、フィルタ１０８に突き当たって前記フィルタ１０８の周りの流れを低減し又はなくす。
シール１０６は、容器１０２と基部１０４との間に捕捉されるものとして例示されている。
シール１０６は、基部１０４の上側表面のなかに形成された環状凹部によって受容されるものとして描かれている。
【００２８】
円板形状のフィルタ１０８は、容器１０２の径が減少した底部環状部分のなかに機械的に保持されている。
フィルタ１０８を、任意の所望のやり方で機械的に保持してもよい。締り嵌め、追加の保持具などである。
【００２９】
フィルタ１０８は、例えば、打ち抜いた織布又は不織布材料であってもよい。これは、例えば、ポリエステル又は天然繊維（ウールや綿などの繊維など）から作られる。
追加的な実施形態において、前記フィルタは、網目、スクリーン又は有孔材料であってもよい。これは、金属、プラスチック又は複合材料から作られる。
前記フィルタ１０８は、任意の所望の形状であってもよい。
【００３０】
更に、フィルタ１０８は、望むなら、二以上の構成要素から形成してもよい。例えば、使い捨て又は再使用可能な異なる二層以上の材料により、濾過の勾配を提供する。
例えば、フィルタ１０８の上側の表面又は層を、不溶性材料（例えば、コーヒーかす、茶葉、まるごと又は切った果物、果物の外皮又はゼスト、植物材料など）の大きな粒子を捕捉するよう構成してもよいし、フィルタ１０８の下側の層を、捕捉するそれぞれの不溶性材料の粒子が次第に微細になっていくよう構成してもよい。
例えば、フィルタ１０８を、次第に微細になっていく複数の段階のスクリーン又は網目材料から形成してもよい。
フィルタ１０８は、この具体例において一元的であってもよい。あるいは、清掃のために分解されるよう構成してもよい。
更に、前記機器は、異なる複数のフィルタ要素を備えてもよい。これは、フィルタとして使用してもよいし、あるいは、選択的に組み合わせることにより、抽出物を形成する不溶性材料の大きさを補足するカスタマイズされたフィルタを形成してもよい。
更に、フィルタ１０８は、網目などの材料と不織布材料との組合せから形成してもよいし、網目から形成してもよい。
それに加えて、使い捨て紙フィルタ（不図示）を設けてもよい。これは、前記容器１０２の形状に適合する。
このような紙フィルタは、フィルタ要素１０８に加えて、あるいは、その代わりに使用してもよい。
【００３１】
前記フィルタ１０８は、円形であるものとして描かれているが、前記フィルタ１０８及びそれを受容する開口は、円形であってもよいし、真っ直ぐだったり湾曲していたりする一以上の辺を有する多角形であってもよいし、楕円形などであってもよい。
前記フィルタ１０８の形状が、その開口の形状と正確に一致する必要はない。
例えば、前記開口は円形であってもよいし、前記フィルタは多角形であってもよい。前記多角形の頂点は、前記フィルタが前記開口に挿入されたとき圧縮される。
その代わりとして、前記開口は多角形（六角形など）であってもよいし、前記フィルタは円形又は楕円形であってもよい。フィルタ媒体の一部を変形させることにより締り嵌めを達成する。
前記フィルタ１０８は、その動作を実行するのに適した厚さを有する。
前記フィルタ１０８が圧縮可能な使い捨て材料である場合、前記フィルタ１０８は、例えば、約０．５ｍｍと１．５ｃｍとの間であってもよいし、あるいは、その間で約０．５ｍｍ刻みの任意の厚さであってもよい。
【００３２】
図に例示したとおり、容器１０２は、下側環状壁を含む。これは、今度は、径方向内側へ向けて回り、周方向棚部を形成する。これは、フィルタ１０８を部分的に支持する。
理解されるであろうことは、前記フィルタ１０８を同様に枠組み又は網目構造の上方に吊り下げてもよく、周辺峰部が不要であることである。
更に例示したとおり、容器１０２の前記ボウル部分の下方に延びる前記下側環状壁は、外側へ向けて突出した環状リブを画定する。これは、今度は、環状溝によって受容される。これは、内側へ向けて面した環状壁のなかに形成されている。これは、基部１０４の頂部の近くに画定されている。
その代わりとして、締り嵌めではなく、構成要素１０２と１０４との間の接続は、ねじ接続のような異なるタイプの機械的接続であってもよい。あるいは、締結具を用いた接続であることにより、前記構成要素を分解し洗浄できるようにしてもよい。
他の任意の望ましいタイプの接続を使用して、構成要素１０２と１０４とを接続してもよい。例えば、接着剤、面ファスナーなどである。あるいは、構成要素１０２や１０４のなかに一以上の磁石があり、これが、別の磁石や強磁性材料を含む反対側の構成要素１０２／１０４のそれぞれの整列部分を引き付ける。
【００３３】
図２Ａに更に例示したとおり、弁組立体を設けてもよい。これは、例えば、選択的に、流体が通り抜けて容器のなかへ入ることができるようにする。
図１に例示した例において、球形ボール弁本体１１４が、迎合的な環状シール１１２のなかに受容されている。
シール１１２は、今度は、基部１０４の下側中心部分のなかに形成された環状ボスに着座し、これを取り囲んでいる。
開いた枠組み１１０をボール１１４の上に置き、これにより、ボール１１４が脱出するのを防ぐ。
枠組み１１０は、基部１０４に超音波溶接するなどして基部１０４に取り付けてもよい。
【００３４】
代わりの様々な機構を、図２Ａに例示され上述した前記弁組立体とともに又はそれに加えて、その場で使用してもよい。
例えば、後述するように、圧縮ばねを使用して、ボール弁をその場に保持してもよい。
更に、任意の種類の弁を使用してもよい。玉形弁、ボール弁、プラグ弁、ピンチ弁、仕切弁など（不図示）である。これは、前記容器１０２の垂直中心軸に対して概して垂直な軸の周りで弁座のなかに位置する弁本体を回転させることによって作動する。
弁組立体の前記ボール１１４は、同様に、変位可能なピストンなど球以外の構造であってもよい。これは、作動時に、上側へ向けて変位し、あるいは、下側へ向けて変位し、あるいは、横へ向けて変位して、弁を開く。
例えば、前記弁組立体は、しなやかな材料から作られたフラップを単に含んでもよい。これは、容器からの流出を可能にするために変位する。
望むなら、排出プラグを設けてもよい。これは、前記浸出容器の貯蔵器から取り去り、あるいは、前記浸出容器のなかの流路から取り去ることができ、これにより、液体が前記浸出容器から外に流れ出すことができるようにする。
例えば、排出プラグは、前記浸出容器の底部から下側へ向けて引き出してもよいし、あるいは、浸出容器の側面から横方向へ向けて引き出してもよい。
望むなら、壊れやすい膜（例えば、濾紙）を破裂させる弁を使用してもよい。これは、図３１Ｄに例示したものなどである。
前記弁は、浸出容器１０２の底部に向かって位置してもよいし、あるいは、その中心に位置してもよい。あるいは、中心から外れて、壁の上などに位置してもよい。
更に、このような弁の選択肢は、弁が含まれると仮定すると、このなかで開示された任意の他の実施形態に適用してもよい。
【００３５】
シール１１２は、同様に、図２Ｃ〜２Ｒに示すとおり、様々な代わりの幾何学的形状を有してよい。
【００３６】
例えば、図２Ｃ〜２Ｆは、更なるシールの実施形態の平面図と、中心断面図と、側面図と、平面正面斜視図とを例示する。これは、このなかで開示された様々な実施形態で使用してよい。
図２Ｄにおける断面図は、前記シール構造の幾何学的形状を例示している。例示したとおり、図２Ｃ〜２Ｒで描かれたシールは、すべて、類似の外部特徴を共有し、これにより、前記装置の構造のなかに前記シールが着座するのを助ける。これは、比較的平坦な上側環状表面を含む。これは、概して垂直な環状表面に遷移する。これは、下側へ向けて垂れ下がった環状鍔で終わる。
下側へ向けて垂れ下がった前記鍔は、上側へ向けて横断する表面に遷移する。これは、下側へ向けて垂れ下がった前記鍔から径方向内側へ向けて配置された環状凹部を画定するのを助ける。
前記環状凹部は、下側へ向けて垂れ下がった前記鍔から上側へ向けて延びる外側環状壁と、前記外側環状壁に対して概して直交する概して水平方向に方向付けられた上側環状壁と、前記上側環状壁から下側へ向けて延びる内側環状壁とによって画定される。
下側末端において、前記内側環状壁は、径方向外側へ向けて方向付けられた肩部に遷移する。これは、径方向外側へ向けて延びる水平環状表面から形成されている。これは、その後、下側へ向けて約９０度遷移し、前記シールの下側環状表面で終わる。
図２Ｃ〜２Ｒで例示された前記シールにおける一般的な相違は、内部空洞のなかに見られる。これは、前記シールの上側表面と下側表面との間に画定される。
前記シールの幾何学的外部形状は、必要に応じて、異なる構造に嵌合するよう適宜変更してもよい。
【００３７】
図２Ｄに関して、内側空洞が、前記シールの構造によって画定される。これは、前記シールの前記上側環状表面で始まり、径方向内側かつ下側へ向けて水平から約３０〜４０度の角度に沿って先細りになり、周辺縁部で終わる。
前記シールの前記内側表面は、その後、水平に対して約１３５度の角度で前記周辺縁から径方向外側へ向けて遷移し、内側の角で終わる。これにより、前記周辺縁は、唇部を形成する。これは、望みに応じて、前記弁のボール部分などの弁本体を着座させることができる。
前記シール材料は、比較的堅くてもよいし、あるいは、比較的迎合的であってもよい。これにより、弁本体の材料、ばねが含まれるかどうかなどに応じて、前記弁が容易に封止できるようにする。
前記シールの内側表面は、内側の角から下側へ向かって続き、湾曲した経路に沿って径方向内側へ向けて掃引する。径方向内側へ向けて回り、その後、下側へ向けて回るまで掃引して、これにより、肩部を形成する。
前記内側表面は、その後、前記シールの下側面まで下側へ向けて続く。
ここで記載した前記シール及びここで開示した前記弁本体は、例えば、様々な材料から作製してもよい。これは、様々な種類の金属と、様々な複合材料と、セラミックと、プラスチック（例えば、ＡＢＳ、ＰＥＴ、ポリウレタン、アクリル、ポリプロピレン、エラストマー、ビニル材料、ポリオレフィン、ゴム、ナイロンポリマー、フッ素樹脂など）とを含む。
【００３８】
図２Ｈは、図２Ｄのものとは異なる内側開口を伴うシール構造を例示している。
前記内側開口は、前記シールの上側表面で始まり、浅い角度（例えば、水平から３０〜５０度）に沿って下側へ向けて延び、その点で遷移して、かなり急な角度（例えば、水平から６０〜９０度で下側へ向けて延び、そこで下側変曲点で終わり、その後、再び上昇して環状トラフを形成する。
前記内側表面は、その後、径方向内側へ向いた方向に沿って横断し、その後、水平から約１３５度の角度で下側かつ径方向外側へ向けて角度をなして唇部を形成し、その後、下側へ向けて遷移して、概して垂直な壁を形成する。これは、前記シールの底面に到達するまでである。
前記環状トラフの径方向外側へ向けて面した壁と、前記内側表面の内側へ向けて面した壁とが協働して、環状壁構造を形成する。これは、前記弁本体の少なくとも一部分を受容するよう構成された前述の唇部における上側端部で終わる。
前記シールの材料は、所望の量の迎合性を達成するよう選択してもよい。これにより、前記弁本体が着座するのを助ける。
【００３９】
図２Ｌは、比較的単純な幾何学形状を伴うシールを提供する。これは、中心孔を有する。これは、内側環状表面が、前記シールの前記上側表面で始まり、径方向内側へ向けて下側へ向けてフィレットして曲がり、その後、比較的険しい（例えば、５０〜７５度）角度で下側へ向けて延び、その後、前記弁本体を着座させるための周辺峰部で下側へ向けて遷移して、概して垂直な環状壁を形成する。これは、前記シールの下側表面に交差する。
【００４０】
図２Ｐは、前記シールの変形を表す。これは、図２Ｈの幾何学的形状に概して似ている。しかし、前記シールの穴のなかに画定された上側へ向けて延びる前記環状壁の上側周辺で径方向内側へ向けて方向付けられた唇部がない。
理解されるであろうことは、前記シールの例示された表面のすべてが、正確に例示された幾何学的形状で提供される必要はないが、類似の機能を果たす類似した任意の構造も考えられることである。
【００４１】
図３は、本開示にしたがう抽出システムの第二の断面図を示す。
この代替的な図は、図４の線Ｃ−Ｃに沿って切り取ったものである。
この代替的な図は、図３において、容器１０２の中心垂直軸の周りで前記組立体が異なる回転位置にあるところを示す。特に注目すべきは、枠組み１１０の代替的な回転位置において、枠組みの右側の開口部を例示している点である。これを通して、浸出された抽出物が流れ得る。
理解されるであろうことは、前記枠組み１１０が、代わりに、カップ形状のスクリーン材料などの形態を取ってもよいことである。
【００４２】
図５は、前記抽出システムの側面図である。容器１０２と基部１０４との相対的な位置関係を例示している。
図６は、前記抽出システムの底面図である。容器１０２と、基部１０４と、枠１１０と、ボール１１４との相対的な径方向の位置関係を特に例示している。
図７は、前記抽出システムの第一の平面等角図である。これも、容器１０２と基部１０４との相対的な位置関係を例示している。
【００４３】
図８は、抽出システムの第二の平面等角図である。フィルタインサート１０８を示す。
フィルタ１０８に加えて、別個の紙フィルタを前記容器１０２のなかに置いて、例えば、望みに応じて、コーヒーかすと水、あるいは、茶葉と水との混合物から抽出物を濾過してもよい。
【００４４】
図９は、前記抽出システムの第三の平面等角図である。前記フィルタインサートを取り去った状態を示す。
フィルタ１０８を取り去って、枠組み１１０の相対的な位置関係を明確に例示する。これは、上側リングと等間隔の三本の支柱とによって形成される。これは、今度は、下側リングに取り付けられている。これは、今度は、基部１０４に取り付けられ、ボール弁本体１１４（又は、望みに応じて代わりの弁構造）を収容する。
図１０は、前記抽出システムの底面等角図である。シール１１２と、ボール弁本体１１４と、基部１０４と、本体１０２との空間的関係を更に例示している。
【００４５】
図１１は、図１２の線ＡＡに沿って切り取った前記抽出システムの第一の分解断面図である。
類似した図を図１３〜１６に提供する。
図１７は、分解等角図である。前記構成要素１０２〜１１４のそれぞれを等角的に示す。
図１８は、前記抽出システムの分解底面等角図である。重複して示し、再び、前記構成要素の相対的位置関係及び整列を示す。
【００４６】
本開示に更にしたがって、図１９は、前記抽出システムの側面図である。これは、容器１１８（水差しなど）の頂部の上に取り付けられている。これは、前記抽出システムから出る浸出された抽出物を捕らえる。
漏斗形状の裾１１６を、前記容器又は水差し１１８に取り去り可能に取り付けてもよい。
裾１１６は、環状に形成され、円形の周辺下側縁部を有する。これは、前記容器の周りに嵌合し、前記容器の上に載る。
構成要素は、また、上側表面を提供する。これは、基部１０４と、容器１０２と、構成要素１０６〜１１４との組合せを支持する。
裾１１６は、その中心上側部分に開口を画定する。これは、立ち上がる表面（すなわち隆起又は突き出し）を有する。これは、ボール弁本体１１４を（例えば、例示した実施形態において上側へ向かって）押すのに十分なほど遠くまで、かつ、シール１１２と物理的に接触しないよう、上側へ向かって延びる。したがって、容器１０２のなかの液体が、フィルタ１０８によって濾過され、かつ、容器１１８のなかへ滴下することができる。
理解されるであろうことは、上述したような代替構造を、形状、構成、弁動作などに関して、この実施形態に適用してもよいことである。
【００４７】
図２０は、図１９の前記配列の第一の断面図である。図２１に例示した断面線ＡＡに沿って切り取っている。
図２０は、容器１１８と基部１０４と弁本体１１４とに対する構成要素（又は裾）１１６の相対的な位置関係及び整列を明確に示している。
望むなら、上述したとおり、弾性部材又は迎合的な部材（例えば、圧縮ばね（不図示））を、ボール弁本体１１４と枠１１０の上側部分の下側面との間に置いて、前記弁本体１１４を前記シール１１２のなかに保持するのを助けてもよい。
【００４８】
図２２は、図１９の前記配列の第二の断面図である。これは、図４に例示した線Ｃ−Ｃに沿って図２０の視野に対して角度的に回転している。
これは、同様に、前記枠組み１１０の異なる断片を示す。ボール１１４が上側へ向けて変位し、これにより、液体が容器１０２から外に出て容器１１８に流れ込むことができるようになることを示す。
図２３は、図１９の前記配列の等角図である。構成要素の相対的位置関係を示す。
図２４は、図１９の前記配列の分解側面図である。図２５は、図２６に例示した線Ａ−Ａに沿って切り取った分解断面図である。
図２７は、図４に例示した線Ｃ−Ｃに沿って切り取った分解断面図である。
図２８は、図１９の前記配列の分解平面等角図である。
図２９は、図１９の前記配列の分解底面図を、二つ横に並べて示す。
【００４９】
いくつかの実施形態において、使用時に、容器１０２及び基部１０４を、一つの組立体として維持してもよい。これは、淹出中に裾１１６及び容器１１８から取り外される。
例えばコーヒーと水との混合物を、容器１０２のなかに入れ、長期間（例えば、一晩）浸したままにしておいてもよい。
十分に浸されたとき、前記容器及び基部１０２，１０４を、裾１１６の頂部の上に移してもよい。これは、容器１１８、適切に構成された台など、浸出された抽出物を前記容器１１８のなかへ移入するための器の頂部の上にある。
その代わりとして、例えばハンドルをねじることによって作動させることができる弁を使用する場合、前記容器及び基部を、台の上に配置し、その下に容器を配置してもよいし、前記弁を作動させて、液体が前記容器のなかへ選択的に流れられるようにしてもよい。
【００５０】
上記でほのめかしたとおり、代替的な実施形態において、裾１１６を、台で置き換えてもよい。これは、容器１０２／１０４を、別個の容器の上に吊るす。
前記台のなかの突き出しなどの隆起が、前記弁本体１１４を上側へ向けて変位させて、液体が流出できるようにしてもよい。
他の実施形態において、（スライド又はスイッチなどによって）制御可能かつ手動で作動される手動弁を、弁本体１１４の代わりに使用してもよい。
他の実施形態において、前記手動弁は、スイッチをオンオフして、もっと小さなたくさんの容器を充填してもよい。これは、時系列に容器１０２／１０４の下に置かれる。
【００５１】
更なる実施形態において、制御可能な電気弁を使用してもよい。これは、制御器によって制御されるソレノイドの作動によって開く。
前記制御器は、電子式であってもよく、マイクロプロセッサなどの制御システム（機械的又は電気機械的システム）を有してもよい。
前記制御システムは、（ア）（例えば、電子的又は機械的タイマーによって測定されるような）所定の時間の経過、（イ）浸出された抽出物の特定の温度の達成又は浸出された抽出物の相対温度、（ウ）受容容器の有無、あるいは、それらの組み合わせに応じて、前記弁を開くよう構成してもよい。
望むなら、前記制御システムは、使用者の個人的電子機器と電子的に通信するための通信回路を伴って構成してもよい。これは、淹出時間などのパラメータなどのデータを前記使用者に提供し、前記使用者が前記弁を遠隔で開くことができるようにする。
【００５２】
更なる実施形態において、前記システムの前記弁又は分配器は、前記システムの貯蔵器のなかに正圧又は負圧を印加することによって作動してもよい。
例えば、前記弁は、膜を含んでもよい。これは、迎合的な材料から作製される。これは、一以上のスリットを有する。これは、正圧又は負圧が印加されると歪むよう構成される。
前記正圧又は負圧は、使用者によって印加されもよいし、あるいは、例えば前記貯蔵器の内容物によって自動的に印加されてもよい。
【００５３】
更なる実施形態において、前記容器及び基部１０４は、水差しの開口によって受容されるよう構成してもよい。前記容器１０２の安定性を、前記基部の下側へ向けて延びる導管の外側表面と、前記水差しなどの容器の首部の内側表面との間の機械的接続によって少なくとも部分的に確保してもよい。
任意の種類の弁（このなかに記載されたものを含むが、これに限定されない）を、開示された実施形態（前記弁の下で自己中心付けする受容容器を有する実施形態を含むが、これに限定されない）のいずれに使用してもよい。
【００５４】
本開示にしたがう淹出機器２００の変形例の図を、図３０Ａに描く。
図３０Ａは、例示的な淹出機器の中心垂直断面を表す。これは、ねじ接続によって基部部分２０４に接続された容器部分２０２を含む。
例示したとおり、その外部表面の上に配置されたねじ部を有する中心筐体部分２２４は、基部部分２０４の内側表面のなかに形成された対応するねじ部と螺合する。
前記機器２００を組み立てるため、容器部分２０２を基部部分２０４の上側部分のなかへ挿入する。
中心筐体部分２２４を、その後、基部部分２０４のなかへねじ込み、前記基部部分２０４と前記中心筐体部分２２４との間に容器２０２の下側周辺唇部を捕らえる。
【００５５】
この特定の例示において、容器２０２は、わずかに先細りの垂直壁によって画定される。これは、頂部から底部へ向けて（機器２００の垂直中心軸に関して）径方向内側へ向けて先細りである。
前記容器２０２の底部外側部分において、前記容器の周辺壁は、径方向内側へ向けて屈曲し、機器の前記垂直中心軸へ向けて水平方向を横断する。
中心軸に到達する前に、前記周辺壁は、下側へ向かう湾曲部を横断して、底部開口を取り囲む下側周辺縁部（又は唇部）を画定する。
前記下側周辺唇部は、前記基部部分２０４の上側部分のなかに形成された相補的な周囲凹部のなかに受容される。
例示したとおり、周辺シール２０６を設ける。これは、前記中心筐体部分２２４の上側周方向延長部の周りに受容される。これは、前記中心筐体部分を取り囲んで形成されたねじ部の上方にあり、周囲鍔の下方にある。これは、前記中心筐体部分２２４の上側端部の外周を横切っている。
【００５６】
例示したとおり、中心筐体部分２２４は、また、上側有孔層２０８を含む。これは、浸出された抽出物が前記層２０８を通過するための濾過機能を果たす。
層２０８は、プラスチック又は金属の層であってもよい。例えば、これを貫いて、複数の開口が、任意の所望の形状又は配列で形成されている。
層２０８は、好ましくは、取り去り可能なキャップ部分である。これは、前記中心筐体部分２２４の周辺縁部を取り囲んで嵌合し、これにより、容易に分解し洗浄できるようになる。
望むなら、取り去り可能なフィルタを、その幾何学的形状に概して適合した容器２０２の内部に、層２０８に加えて（又はその代わりに）置いてもよい。
【００５７】
例示的な弁を設ける。これは、図２Ａの実施形態といくつかの点で類似している。これは、球形弁本体２１４を含む。これは、リング形状の弁座２１０の上に置かれる。これは、中心筐体部分２２４の下側表面に画定された中心チャネルのなかに受容される。
図２Ａの実施形態と同様、例示された前記弁は、前記弁本体２１４が、通路から外に（下からなど）押し出されると開く。
例えば前記有孔カバー２０８を取り去ることによって、弁本体２１４を取り去ってもよい。
理解されるであろうことは、図２Ａの実施形態と同様、任意の所望の弁を、描かれた配列の代わりに使用してもよいことである。
更に、理解されるであろうことは、容器２００の形状、大きさ寸法及び材料を、図２Ａの実施形態と同様、望みに応じて変化させてもよい。
【００５８】
図３０Ｂは、図３０Ａの実施形態の変形例の斜視断面を表す。
この図において、有孔層２０８は、キャップと置き換えられている。これは、無孔として例示されている。そして、複数の立ち上がり峰部２３０を含む。これは、少なくとも部分的に径方向に沿って進む。
例示したとおり、前記峰部２３０は、曲線形状である。しかし、真っ直ぐであっても、蛇行形状などであってもよい。
望むなら、直線状の峰部ではなく、同じ又は変化する高さのボス又はバンプを使用してもよい。
前記峰部２３０やボスを使用して、好ましくは、そのなかに不溶性材料及び液体を伴う濾紙（例えば、図３１Ａにおける３３０）を吊り下げ、実施形態の中心のなかに配置された前記弁２３４へ向けて流れる一以上の経路を提供する。
図３０Ａの実施形態と同様、前記組立体は、例えば、機械的ねじによって取り付けてもよく、洗浄のため容易に分解することができる。
【００５９】
図３０Ｃ，３０Ｄは、本開示にしたがう浸出容器のための弁の更なる実施形態の断面等角図及び断面図である。
この実施形態は、概観において図３０Ｂの実施形態と類似している。これは、径方向に配向された湾曲した峰部を含む。
しかし、この実施形態は、ピストン弁２４０を含む。これは、今度は、垂直方向に変位可能な弁本体（又はピストン）を含む。これは、下側部分２４２を含む。これは、上側部分２４４にかみ合う。これは、機械的係合（ねじ係合、スナップ嵌め、別個の固定具など）を介して前記浸出容器のなかに配置される。
上側部分２４４は、周方向シール２４６の上方に配置される。これは、弁座２４７のなかに受容される。
弁２４０は、弾性部材又はばね（圧縮ばね２４８など）によって閉位置で付勢されている。
動作中に、容器又はアダプタからの隆起部又は突き出しが前記弁本体を上側へ向けて押して、前記浸出容器（例えば、１０２など）の前記貯蔵器から外へ浸出抽出物を流し始めてもよい。
その代わりとして、容器（水差しなど）の口が、図３０Ｆの実施形態に関して例示したとおり、下側部分２４２に当たって上側へ向けて押し上げてもよい。
更に、例示したとおり、前記弁本体の下側部分２４２は、そのなかに周方向チャネルを画定する。これは、ボトルなどの容器の同様の形状の開口を受容する。
したがって、例えば、受容容器で前記弁本体を上側へ向けて押し上げることによって、前記弁を開いて、前記容器を開くことができるようにしてもよい。
望むなら、別個の通気口（不図示）を、このなかの任意の実施形態において設けてもよい。これにより、前記受入容器から立ち退きつつあるガスが容易に通過できるようにする。
【００６０】
図３０Ｅは、本開示にしたがう淹出装置の別の実施形態の断面図である。弁が閉状態にある。
図３０Ｆは、図３０Ｅの前記淹出装置の前記実施形態の断面図である。前記弁が開状態にある。
これらの図における前記淹出装置の構成要素は、いくつかの点で、図３０Ｃ及び３０Ｄの実施形態と類似している。
この実施形態は、また、ピストン弁２５０を含む。これは、今度は、垂直に変位可能な弁本体（又はピストン）を含む。これは、下側部分２５２を含む。これは、上側部分２５４にかみ合う。これは、機械的係合（ねじ係合、スナップ嵌め、別個の固定具など）を介して前記浸出容器のなかに配置される。
この実施形態において、前記上側部分２５４の外部部分の上に画定されたねじ部は、下側部分２５２のなかに画定された雌ねじとかみ合う。
上側部分２５４は、周方向シール２５６の上方に配置される。これは、弁座２５７のなかに受容される。
弁のこの構成は、前の実施形態よりも外形が小さい。
弁２５０は、弾性部材又はばね（圧縮ばね２５８など）によって閉位置で付勢されている。
作動時において、及び図３０Ｆに関して、容器の開口頂部は、弁下側部分２５２の下側へ向けて垂れ下がった部分を取り囲み、下側部分２５２の外側径方向位置に位置する平坦な鍔に押し当たって付勢する。
したがって、例えば、受容容器で前記弁本体を上側へ向けて押し上げることによって、前記弁を開いて、前記容器を開くことができるようにしてもよい。
望むなら、別個の通気口（不図示）を、このなかの任意の実施形態において設けてもよい。これにより、前記受入容器から立ち退きつつあるガスが容易に通過できるようにする。
【００６１】
図３１Ａは、淹出装置３００及び容器３４０の更なる実施形態の概略断面図を例示する。これは、浸出された抽出物を受容する。
この実施形態は、容器３０２を含む。これは、図１及び３０Ａの実施形態と構成において類似している。そして、基部部分３０４を含む。これは、容器３０２と一体化してもよいし、あるいは、着脱可能であってもよい。
例えば、実施形態３００は、射出成形ポリマーなどから作製してもよい。
スクリーン又は有孔層３０８を、図３０Ａの実施形態と同様に設けてもよい。そして、望むなら、取り去り可能／使い捨てフィルタ３３０を使用してもよい。これは、前記容器３０２の内側表面に概して順応する。
任意の種類の所望の弁３１４を使用してもよい。これは、このなかの他の箇所で論じたものを含むが、これに限定されない。
更に、更に理解されるであろうことは、実際の弁が、このなかで例示した実施形態のいずれかにおいて提供される必要はなく、他の機構（非常に遅い流れがそのなかを通り抜けるのを可能にするフィルタ、（食用材料（香味料などの添加剤を含む材料など）から作製された）溶解プラグ又はストッパーなど）を使用してもよいことである。
【００６２】
実施形態３００は、特に、当技術分野で一般に知られている頂部が平坦なボトルの頂部に載るよう構成されている。
これは、頂部が平坦なので、その頂部の上に容器を受容するのに特に適している。
機器３００は、好ましくは、前記容器３４０の頂部の上に自己中心付けするよう構成される。
基部部分３０４は、一以上の一体型フィンを含んでもよい。これは、実施形態３００の前記基部を囲んで周方向に分布している。あるいは、円筒状などの周壁の形態をとってもよい。
【００６３】
例示したとおり、容器３００の下側へ向けて垂れ下がった注ぎ口は、境界面３２４で前記容器３４０の首部分、注ぎ口又は「仕上げ」部分によって受容されるものとして例示されている。
前記注ぎ口は、単に、境界面位置で前記容器の開口のなかに置かれてもよい。
望むなら、前記注ぎ口は、前記境界面３２４で、前記容器の注ぎ口の内側壁や前記容器の外側部分との締り嵌めを達成してもよい。
望むなら、前記注ぎ口は、前記容器３４０の前記注ぎ口の周囲を囲むねじ部（不図示）と螺合するよう構成してもよい。
この実施形態などのこのなかの実施形態において、前記容器３４０と前記機器３００との間にねじ込み可能な係合を形成すると、弁３１４が開くように作用してもよい。
更なる実施形態において、前記受容容器の他の部分（例えば、底部、側部、首部、肩部など）と前記淹出装置との物理的な接触又は係合が、また、前記弁などの分配機構を作動させてもよい。
【００６４】
図３１Ｂは、本開示にしたがう浸出システム３５０の更なる実施形態を表す。
この実施形態は、図３１Ａのものと同様であるが、特に、頂部が湾曲した受容容器３５２（例えば、水差し、広口瓶など）の頂部の上に着座するよう構成されている。
わかるとおり、一以上の突起が、前記浸出容器から下側へ向けて延びている。これは、前記容器の形状に一致する。
前記形状は、静的であるものとして示されているが、別の実施形態において、前記浸出容器に接触しその上に載る支持部は、動的であってもよく、変形可能な材料から形成されてもよい。
その代わりとして、前記支持部は、湾曲しているのではなく階段状であり、これにより、前記支持部が点位置で前記受容容器に接触するようにしてもよい。
その代わりとして、定常曲線ではなく複合曲線を使用してもよい。これは、異なる曲率や直径の容器に適合できる異なる部分を有する。
【００６５】
図３１Ｃは、本開示にしたがう浸出システム３７０の更に別の実施形態を表す。
開示された実施形態のうちの多くが、受容容器の頂部の表面又は孔と整列することによって、受容容器などの構造と自己整列するよう構成された浸出容器（例えば、１０２）を提供する。
前記受容容器の孔は、例えば、約５ｍｍと２５０ｍｍとの間であってもよく、その間で１ミリメートル刻みの任意の値であってもよい。
実施形態３７０は、前記浸出容器及び受容容器が、一以上の追加的な整列技術を使用して整列する設計を表す。
前記容器の前記首部のなかへ延び下がる前記浸出容器の下側へ向けて垂れ下がった部分によって、前記容器の充填首部領域のなかに整列が存在するが、これを使用する必要はまったくなく、前記浸出容器からの液体を、単に、受容容器のなかへ注ぎ込んでもよい。
その代わり、前記受容容器の外側側壁のうちの一以上を、前記浸出容器（側壁又は支持支柱３７２など）の内側へ向けて面した表面と整列することによって、代替的に整列を達成してもよい。
これは、一以上の支柱（又は部分的若しくはすべての壁部分）であってもよい。前記容器３７５を囲んで前記組立体３７０を下側へ向けて摺動させることによって、整列を達成する。
相対的な径方向の整列を、その後に達成してもよい。これは、例えば、単に、真っすぐな壁、又は、テーパーのある壁を有することによる。これは、内側へ向けて面した垂直な表面を有する。これは、上側へ向かう方向に沿って前記柱又は壁３７２に沿って径方向内側へ向かう方向に沿って先細りである。その結果、「収束効果」を奏し、前記容器３７５を整列させる。
【００６６】
それに加えて、あるいは、その代わりとして、前記システム３７０の基部部分３７８を、前記容器３７５の底面と整列してもよい。これは、例えば、前記容器３７５の底部の全体形状と見当合わせすることによる（例えば、図４５）。あるいは、前記容器３７５の底部表面の上に形成された窪みや立ち上がり表面と整列することによる。
例えば、窪んだ表面を前記容器３７５の底部の上に形成してもよく、立ち上がったボス３７６を、前記装置３７０の底部平面の上に設けて、これにより、前記容器３７５と前記装置３７０との間の見当合わせを容易に取得できるようにしてもよい。
描かれていないが、システム３７０など、このなかの任意のシステムは、受容容器のハンドルとの整列を達成するよう構成してもよい。
【００６７】
図３１Ｄは、本開示にしたがう浸出システム３９０の更に別の実施形態を表す。
この実施形態は、壊れやすい（好ましくは使い捨ての）膜３９４を使用するものとして例示されている。これは、有孔円錐の形態で提供されるフィルタ要素３９２によって破られる。
この実施形態において、前記膜３９４は、濾紙であってもよい。あるいは、濾材ではない別の材料であってもよい。
液体及び不溶性材料は、前記膜３９４によって取り囲まれた体積のなかに配置される。そして、前記膜に穴を開けて液体が流出できるようにする隆起部又はフィルタ要素３９２の上へシステム３９０を下げることによって、液体の分配を達成してもよい。
そうすることにより、前記システム３９０の下側面又は支柱又はフィン３９８が、前記受容容器の頂部の上に載置するアダプタの上側へ向けて面した表面３９６の上に載置するよう構成してもよい。
【００６８】
図３２Ａ〜Ｃは、容器４００の側面図を例示する。これは、このなかに記載されているような淹出機器から浸出された抽出物を受容する。
例示したとおり、前記容器は、その側壁に形成された印４１０を含む。前記印は、所望の強度の冷たい淹出コーヒーを調製するためのレシピ又は指示を含む。
例示的な例として、図３２Ｃに描かれた側壁の上の最も低い位置にあるレシピは、水を充填するための水平充填線を含む。
この場合において、前記印は、指定された充填線まで前記容器を２回充填し、前記容器（例えば、１０２）のなかのその量の水を、３／８ポンド（又は約１７０ｇ）のコーヒー粉と組み合わせて使用する指示を提供する。
この混合物は、前記容器４００のなかへ分配し戻されたとき、前記水差しの頂部近くの６４オンスのマーク４２０まで希釈されるべき正確な濃度である濃縮物の量を生じる。
そのように希釈することで、前記コーヒーを飲む準備が整う。
したがって、前述の例において、前記ボトルの側面の上の印は、浸出された抽出物を調製するための水を測定するための第一の充填線を提供した。そして、また、前記容器のなかの水と混合するための不溶性材料（この例ではコーヒー）の量を指定した。
淹出したのち、前記ボトルは、濃縮され浸出された抽出物を希釈して飲用に適した濃度に希釈するための第二の印を提供した。
前記指示／印が暗示していることは、前記容器のなかの粉のなかに残ると予想される水の量がレシピのなかへ考慮されていることである。
また、前記容器の上に存在するのは、追加的なレシピ４３０、４４０である。これは、濃縮され浸出された抽出物の量を増加させる。
しかし、これらのレシピは、もっと多くの濃縮物を生成するので、希釈のために、対応する第二の充填線は、ボトルの上に設けられていない。これらのレシピのための、もっと多くの抽出物の希釈が、前記容器４００の体積を超えるからである。
しかし、第一のレシピと同様に、第二及び第三のレシピは、前記容器（例えば、１０２）のなかのコーヒーかすのなかに残る水を考慮した適切な量の水を提供する。
【００６９】
図３３〜４４は、本開示にしたがう更に別の実施形態を例示する。
図３３及び３４は、本開示にしたがう淹出器システム５００の更なる実施形態の等角図及び側面図をそれぞれ例示する。
図３３〜４４の実施形態は、図１〜２９の実施形態と非常に類似しているが、いくつかの違いがある。
第一に、前記容器の前記上側周辺峰部５１０が異なる形状である。これにより、除去可能な蓋５３０（図４１）を受容して、前記淹出容器の上側端部にある開口を閉鎖するようにする。
前記淹出容器それ自体も、また、わずかに異なる形状を有する。
更に、取り去り可能な保持具５２０（図３５〜３６）が、前記淹出容器の底部のなかに配置され、これにより、その場にフィルタ網（不図示）を保持する。
しかし、理解されるであろうことは、このなかの他の箇所で開示された任意の濾過手法を、実施形態５００に関連して使用してもよいことである。
システム５００の他の目に見える態様は、図１〜２９の前記システムと実質的に同一である。
【００７０】
図４５は、図１〜２９の実施形態の更なる変形を表す。これは、システム６００を含む。これは、淹出容器６０２を含む（これは、望むなら、図３３〜４４の実施形態のような蓋を備えるよう構成してもよい）。そして、基部６０４を含む。これは、このなかの他の箇所で論じた前記淹出容器の底部に取り付けることができる。
弁及びフィルタは任意であるが、図４５の実施形態は、図１〜２９の実施形態におけるものと同様の弁及びフィルタを予定している。そして、このなかで記載した任意的な他の弁を使用してもよい。
【００７１】
引き続き図４５を参照すると、基部６０４は、台の上に載っている。これは、今度は、上側枠組み６１０と、一以上の垂直支持体６２０（一以上の壁など）と、基部部分６３０とから構成される。
例示したとおり、基部部分６３０は、皿形状のレセプタクルを画定する。これは、容器６４０の底部を受容するような大きさ及び形状になっている。
好ましくは、基部部分６３０の前記レセプタクルは、前記容器６４０を前記淹出装置の真下に中心付けるよう構成される。
前記台の前記上側枠組み６１０は、一以上の開口がその中心領域を貫いて画定されている。る。これにより、容器６０２からの浸出された抽出物が通過できるようになる。
上側枠組み６１０は、また、任意的な隆起を例示している。これは、このなかの他の箇所で論じたような容器６０２の底部のなかに配置された弁を作動させて、浸出された抽出物が前記容器６４０のなかへ流れ込めるようにする。
図４５に例示した前記機器（又はこのなかに開示された任意の他の機器）は、台（又は他の適切な整列用ボス、フィン又はアダプタ）を適宜有してもよい。これは、（ア）貯蔵器の栓や弁などの出力（「出力」）の下に前記水差しを整列し、（イ）前記受容容器の内部、前記貯蔵器の頂部のねじ又は仕上げ又は鍔に対して前記出力を整列し、（ウ）先細りになる前の前記容器の頂部、ハンドル、頂部の外部や、前記受容容器の首部に沿った先細り部や、前記首部の前記先細り部と前記ボトルの最外径との間の半径又は遷移部や、前記基部と前記容器壁との間の下側の直径などと、前記出力を整列する。
【００７２】
理解されるであろうことは、材料、構築技術、構成、形状などにおいて、様々な代替を、このなかで開示された実施形態のうちのいずれかになしてもよいことである。
例えば、前記浸出システムの任意の実施形態に対して論じた任意の特徴（整列構造及び弁を含むが、これに限定されない）を、前記浸出システムの任意の他の実施形態のなかへ適切に組み入れてもよい。
また、理解されるであろうことは、任意の開示された実施形態の前記淹出貯蔵器は、実際に前記受容容器に触れないよう構成してもよいことである。
したがって、このなかの本開示は、その特定の好ましい実施形態を参照して説明されてきたが、理解されるべきことは、これらの実施形態が、本開示の原理及び応用の単なる例示であることである。
したがって、本開示の精神及び範囲から逸脱することなく、これらの実施形態に修正を加えてもよく、他の配列を工夫してもよい。
【図１】
2021518794.tif 000003
【図２Ａ】
2021518794.tif 000004
【図２Ｂ】
2021518794.tif 000005
【図２Ｃ】
2021518794.tif 000006
【図２Ｄ】
2021518794.tif 000007
【図２Ｅ】
2021518794.tif 000008
【図２Ｆ】
2021518794.tif 000009
【図２Ｇ】
2021518794.tif 000010
【図２Ｈ】
2021518794.tif 000011
【図２Ｉ】
2021518794.tif 000012
【図２Ｊ】
2021518794.tif 000013
【図２Ｋ】
2021518794.tif 000014
【図２Ｌ】
2021518794.tif 000015
【図２Ｍ】
2021518794.tif 000016
【図２Ｎ】
2021518794.tif 000017
【図２Ｏ】
2021518794.tif 000018
【図２Ｐ】
2021518794.tif 000019
【図２Ｑ】
2021518794.tif 000020
【図２Ｒ】
2021518794.tif 000021
【図３】
2021518794.tif 000022
【図４】
2021518794.tif 000023
【図５】
2021518794.tif 000024
【図６】
2021518794.tif 000025
【図７】
2021518794.tif 000026
【図８】
2021518794.tif 000027
【図９】
2021518794.tif 000028
【図１０】
2021518794.tif 000029
【図１１】
2021518794.tif 000030
【図１２】
2021518794.tif 000031
【図１３】
2021518794.tif 000032
【図１４】
2021518794.tif 000033
【図１５】
2021518794.tif 000034
【図１６】
2021518794.tif 000035
【図１７】
2021518794.tif 000036
【図１８】
2021518794.tif 000037
【図１９】
2021518794.tif 000038
【図２０】
2021518794.tif 000039
【図２１】
2021518794.tif 000040
【図２２】
2021518794.tif 000041
【図２３】
2021518794.tif 000042
【図２４】
2021518794.tif 000043
【図２５】
2021518794.tif 000044
【図２６】
2021518794.tif 000045
【図２７】
2021518794.tif 000046
【図２８】
2021518794.tif 000047
【図２９】
2021518794.tif 000048
【図３０Ａ】
2021518794.tif 000049
【図３０Ｂ】
2021518794.tif 000050
【図３０Ｃ】
2021518794.tif 000051
【図３０Ｄ】
2021518794.tif 000052
【図３０Ｅ】
2021518794.tif 000053
【図３０Ｆ】
2021518794.tif 000054
【図３１Ａ】
2021518794.tif 000055
【図３１Ｂ】
2021518794.tif 000056
【図３１Ｃ】
2021518794.tif 000057
【図３１Ｄ】
2021518794.tif 000058
【図３２Ａ】
2021518794.tif 000059
【図３２Ｂ】
2021518794.tif 000060
【図３２Ｃ】
2021518794.tif 000061
【図３３】
2021518794.tif 000062
【図３４】
2021518794.tif 000063
【図３５】
2021518794.tif 000064
【図３６】
2021518794.tif 000065
【図３７】
2021518794.tif 000066
【図３８】
2021518794.tif 000067
【図３９】
2021518794.tif 000068
【図４０】
2021518794.tif 000069
【図４１】
2021518794.tif 000070
【図４２】
2021518794.tif 000071
【図４３】
2021518794.tif 000072
【図４４】
2021518794.tif 000073
【図４５】
2021518794.tif 000074
【国際調査報告】
2021518794.tif 000075
2021518794.tif 000076